(57)【特許請求の範囲】
【請求項１】
アンテナ端子に接続される送信用フィルタと、前記アンテナ端子に整合用回路を介して接続され、前記送信用フィルタと通過帯域の異なる受信用フィルタとにより構成された分波器であって、
前記送信用フィルタの入力部に電気的に直列接続される第１の共振器を有する第１の帯域阻止フィルタと、
前記受信用フィルタの出力部に電気的に直列接続される第１の電極と該第１の電極の反対側の第２の電極とを有する第１のキャパシタと、
該第１のキャパシタの前記第２の電極と接地電位との間に電気的に接続される第２の共振器を有する第２の帯域阻止フィルタと、
を具備することを特徴とする分波器。
【請求項２】
アンテナ端子に接続される送信用フィルタと、前記アンテナ端子に整合用回路を介して接続され、前記送信用フィルタと通過帯域の異なる受信用フィルタとにより構成された分波器であって、
前記アンテナ端子と前記送信用フィルタとを接続し、前記送信用フィルタの出力部に電気的に直列接続される第１の共振器を有する第１の帯域阻止フィルタと、
前記受信用フィルタの出力部に電気的に直列接続される第１の電極と該第１の電極の反対側の第２の電極とを有する第１のキャパシタと、
該第１のキャパシタの前記第２の電極と接地電位との間に電気的に接続される第２の共振器を有する第２の帯域阻止フィルタと、
を具備することを特徴とする分波器。
【請求項３】
請求項１又は２記載の分波器において、前記共振器は弾性表面波共振器であることを特徴とする分波器。
【発明の詳細な説明】
【０００１】
【発明の属する技術分野】
本発明は、携帯電話等の小型移動体通信機器に用いられる無線周波数（ＲＦ）フィルタに使用される分波器に関するものである。
【０００２】
【従来の技術】
従来、このような分野の技術としては、「Ｈｉｄｅｈａｒｕ  Ｉｅｋｉ：“ＦＩＬＴＥＲ  ＣＩＲＣＵＩＴ  ＥＭＰＬＯＹＩＮＧ  ＳＵＲＦＡＣＥ  ＡＣＯＵＳＴＩＣ  ＷＡＶＥ  ＤＥＶＩＣＥ”  ＵＳＰ  ４，２９５，１０８．Ｏｃｔ．１３，１９８１」に開示されるものがあった。
【０００３】
近年、小型で軽量な携帯電話等の移動体通信機器端末の開発が急速に進められている。これに伴い用いられる部品の小型、高性能化が求められており、携帯電話等の移動体通信機器の多様化、多チャンネル化に伴い、送信帯域と受信帯域の間隔の近接化、各通過帯域の広帯域化方式の採用が進んでおり、これに対応して、最近、小型化され、低挿入損失で、しかも高減衰のＳＡＷ分波器の実現が検討されている。
【０００４】
図４は従来の分波器の回路図、図５はその分波器の送信用フィルタの回路構成図、図６はその受信用フィルタの回路構成図である。
【０００５】
図４において、１０１はアンテナ端子（ＡＮＴ端）、１０２は送信端子（Ｔｘ端）、１０３は受信端子（Ｒｘ端）、１０４は送信用フィルタ、１０５はその送信用フィルタの回路、１０６は受信用フィルタ、１０７は整合用線路、１０８はその受信用フィルタの回路である。
【０００６】
このように、従来の分波器は、送信用フィルタ１０４および受信用フィルタ１０６、整合用線路１０７で構成されている。
【０００７】
また、それらの送信用フィルタ１０４及び受信用フィルタ１０６には誘電体共振器を用いた誘電体フィルタが用いられている。
【０００８】
近年、主に小型化の観点から、送信用フィルタ１０４及び受信用フィルタ１０６に弾性表面波共振器を用いた梯子型フィルタを用いたＳＡＷ分波器の開発が進められている。
【０００９】
図５に示すように、送信用フィルタの回路１０５は、第１の直列腕となる弾性表面波共振器ＳＴ１、第２の直列腕となる弾性表面波共振器ＳＴ２、第３の直列腕となる弾性表面波共振器ＳＴ３、第１の並列腕となる弾性表面波共振器ＰＴ１、第２の並列腕となる弾性表面波共振器ＰＴ２、インダクタンスＬＴから構成されている。
【００１０】
また、受信用フィルタの回路１０８の構成は、図６に示すように、第１の直列腕となる弾性表面波共振器ＳＲ１、第２の直列腕となる弾性表面波共振器ＳＲ２、第３の直列腕となる弾性表面波共振器ＳＲ３、第１の並列腕となる弾性表面波共振器ＰＲ１、第２の並列腕となる弾性表面波共振器ＰＲ２、第３の並列腕となる弾性表面波共振器ＰＲ３、第４の並列腕となる弾性表面波共振器ＰＲ４から構成されている。
【００１１】
【発明が解決しようとする課題】
ＣＤＭＡ方式を用いた携帯電話等の移動体通信機器の高性能化に伴い、送信用フィルタ１０４の減衰帯域（８６９〜８９４ＭＨｚ）及び受信用フィルタ１０６の減衰帯域（８２４〜８４９ＭＨｚ）の高減衰化が求められている。特に、受信用フィルタ１０６の減衰帯域（８２４〜８４９ＭＨｚ）における減衰量の５６（ｄＢ）の確保が要求されている。
【００１２】
本発明は、上記の点に鑑みなされたもので、送信用フィルタ及び受信用フィルタの入力端または出力端に、共振器により構成される帯域阻止フィルタとそのインピーダンス補正回路を接続し、これにより高減衰化された分波器を提供することを目的とする。
【００１３】
【課題を解決するための手段】
本発明は、上記目的を達成するために、
〔１〕アンテナ端子に接続される送信用フィルタと、前記アンテナ端子に整合用回路を介して接続され、前記送信用フィルタと通過帯域の異なる受信用フィルタとにより構成された分波器であって、前記送信用フィルタの入力部に電気的に直列接続される第１の共振器を有する第１の帯域阻止フィルタと、前記受信用フィルタの出力部に電気的に直列接続される第１の電極とこの第１の電極の反対側の第２の電極とを有する第１のキャパシタと、この第１のキャパシタの前記第２の電極と接地電位との間に電気的に接続される第２の共振器を有する第２の帯域阻止フィルタと、を具備するようにしたものである。
【００１４】
〔２〕アンテナ端子に接続される送信用フィルタと、前記アンテナ端子に整合用回路を介して接続され、前記送信用フィルタと通過帯域の異なる受信用フィルタとにより構成された分波器であって、前記アンテナ端子と前記送信用フィルタとを接続し、前記送信用フィルタの出力部に電気的に直列接続される第１の共振器を有する第１の帯域阻止フィルタと、前記受信用フィルタの出力部に電気的に直列接続される第１の電極とこの第１の電極の反対側の第２の電極とを有する第１のキャパシタと、この第１のキャパシタの前記第２の電極と接地電位との間に電気的に接続される第２の共振器を有する第２の帯域阻止フィルタと、を具備するようにしたものである。
【００１５】
〔３〕上記〔１〕又は〔２〕記載の分波器において、前記共振器は弾性表面波共振器である。
【００１６】
【発明の実施の形態】
以下、本発明の実施の形態について詳細に説明する。
【００１７】
図１は本発明の第１実施例を示す分波器の回路図である。
【００１８】
ここでは、小型化及び高性能化の観点から、送信用フィルタ及び受信用フィルタに弾性表面波共振器を用いた梯子型構成フィルタを用いたＳＡＷ分波器について述べる。
【００１９】
この図において、１はアンテナ端子（ＡＮＴ端）、２は送信端子（Ｔｘ端）、３は受信端子（Ｒｘ端）、４は送信用フィルタ、５は送信用フィルタ４の入力部に設けられるＴＥ−１（５）、６は整合用回路、７は受信用フィルタ、８は受信用フィルタ７の出力部に設けられるＲＥ−１（８）である。
【００２０】
このように、送信用フィルタ４の入力部にＴＥ−１（５）を、また受信用フィルタ７の出力部にＲＥ−１（８）をそれぞれ設ける。ここで、ＴＥ−１（５）は直列腕ＳＡＷ共振器ＳＴＥのみの構成であり、この直列腕ＳＡＷ共振器ＳＴＥの構成は（１３０μｍ、１００対）で、この減衰極周波数は８８１ＭＨｚである。
【００２１】
また、ＲＥ−１（８）は、キャパシタＣｒと並列腕ＳＡＷ共振器ＰＲＥで構成されている。この場合のキャパシタはＣｒ＝１０（ｐＦ）であり、並列腕ＳＡＷ共振器ＰＲＥの構成は（４２μｍ、４２対）で、この減衰極周波数は８３０ＭＨｚである。
【００２２】
本発明の第１実施例の分波器と従来の分波器の特性を比較すると表１及び図３に示すようである。
【００２３】
【表１】
0004240611.tif 000002
【００２４】
図３において、横軸は周波数（Ｈｚ）、縦軸は減衰量（ｄＢ）を示しており、ａ１は従来の分波器の送信用フィルタの特性を、ｂ１は本発明の第１実施例の分波器の送信用フィルタの特性を、ａ２は従来の分波器の受信用フィルタの特性を、ｂ２は本発明の第１実施例の分波器の受信用フィルタの特性をそれぞれ示している。
【００２５】
この図から明らかなように、本発明の第１実施例の分波器の回路構成により、このように、減衰帯域の端部（送信用フィルタの８９４ＭＨｚ及び受信用フィルタの８２４ＭＨｚ）において、２０（ｄＢ）の改善が可能である。
【００２６】
次に、本発明の第２実施例について説明する。
【００２７】
図２に本発明の第２実施例を示す分波器の回路図である。なお、第１実施例と同じ部分には同じ符号を付してそれらの説明は省略する。
【００２８】
この図において、ＴＥ−１（１１）及びＲＥ−１（１２）自体の構成は、第１実施例と同じである。この場合、ＴＥ−１（１１）は送信用フィルタ４の出力部に、また、ＲＥ−１（１２）は受信用フィルタ７の出力部にそれぞれ設けるようにした。そのＴＥ−１（１１）は直列腕ＳＡＷ共振器ＳＲＥのみの構成であり、この直列腕ＳＡＷ共振器ＳＲＥの構成は（１３０μｍ、１００対）で、この減衰極周波数は８８１ＭＨｚである。
【００２９】
また、ＲＥ−１（１２）は、キャパシタＣｒと並列腕ＳＡＷ共振器ＰＲＥで構成されている。この場合のキャパシタはＣｒ＝１０（ｐＦ）であり、並列腕ＳＡＷ共振器ＰＲＥの構成は（４２μｍ、４２対）で、この減衰極周波数は８３０ＭＨｚである。
【００３０】
本発明の第２実施例の分波器の特性と従来の分波器の特性を比較すると、上記第１実施例の場合の特性図（図３参照）と同様であり、減衰帯域の端部（送信用フィルタの８９４ＭＨｚ及び受信用フィルタの８２４ＭＨｚ）において、２０（ｄＢ）の改善が可能である。
【００３１】
なお、第１実施例と第２実施例の特性上の違いは、減衰帯域においては従来の回路構成と比べ、両実施例共、ほぼ同様改善が可能であるが、通過帯域特性において僅かな違いがあるのみである。
【００３２】
また、本発明は上記実施例に限定されるものではなく、本発明の趣旨に基づいて種々の変形が可能であり、これらを本発明の範囲から排除するものではない。
【００３３】
【発明の効果】
以上、詳細に説明したように、本発明によれば、分波器において、構成する送信用フィルタ及び受信用フィルタの入力部または出力部に共振器とそのインピーダンス補正回路を設けることにより、高減衰の分波器を簡単な回路構成により実現し、小型化された高性能化分波器を得ることができる。
【図面の簡単な説明】
【図１】本発明の第１実施例を示す分波器の回路図である。
【図２】本発明の第２実施例を示す分波器の回路図である。
【図３】本発明の第１実施例の分波器と従来の分波器の特性を比較する図である。
【図４】従来の分波器の回路図である。
【図５】従来の分波器の送信用フィルタの回路構成図である。
【図６】従来の分波器の受信用フィルタの回路構成図である。
【符号の説明】
１    アンテナ端子（ＡＮＴ端）
２    送信端子（Ｔｘ端）
３    受信端子（Ｒｘ端）
４    送信用フィルタ
５    送信用フィルタの入力部に設けられるＴＥ−１
６    整合用回路
７    受信用フィルタ
８    受信用フィルタの出力部に設けられるＲＥ−１
１１    送信用フィルタの出力部に設けられるＴＥ−１
１２    受信用フィルタの出力部に設けられるＲＥ−１
【図１】
0004240611.tif 000003
【図２】
0004240611.tif 000004
【図３】
0004240611.tif 000005
【図４】
0004240611.tif 000006
【図５】
0004240611.tif 000007
【図６】
0004240611.tif 000008